(57)【要約】      （修正有）【課題】インターフェースウィンドウを有するニアアイディスプレイを提供する。【解決手段】伸長方向、平行面の少なくとも１つの対、及び第１の外結合機構を有する、第１の光導波路１０と、平行面の対を持つ入力開口部、及び第２の外結合機構を有する、第２の光導波路２０と、前記第１の光導波路と前記第２の光導波路との間の光結合部であって、前記第１の光導波路に隣接する少なくとも１つの空隙２９、及びインターフェースウィンドウ３０を含んでおり、前記インターフェースウィンドウが、前記第２の光導波路の屈折率と略同じ屈折率を持つ透明光学素子を含む、光結合部及び少なくとも１つの光吸収要素を含んでおり、インターフェースウィンドウの少なくとも一部は、第２の光導波路の入力開口部を越えて突出し、少なくとも１つの光吸収要素の構造支持体として役立つ。【選択図】図４Ａ
0003226277.tif 000002
【実用新案登録請求の範囲】
【請求項１】
ニアアイディスプレイであって、
伸長方向、平行面の少なくとも１つの対、及び第１の外結合機構を有する、第１の光導波路；
平行面の対を持つ入力開口部、及び第２の外結合機構を有する、第２の光導波路；
前記第１の光導波路と前記第２の光導波路との間の光結合部であって、前記第１の光導波路内の全内反射を可能とするように構成された少なくとも１つの空隙、及びインターフェースウィンドウを含んでおり、前記インターフェースウィンドウが、前記第２の光導波路の屈折率と略同じ屈折率を持つ透明光学素子を含む、光結合部；及び
少なくとも１つの光吸収要素；
を含んでおり、
ここで、前記インターフェースウィンドウの少なくとも一部は、前記第２の光導波路の入力開口部を越えて突出し、少なくとも１つの前記光吸収要素の構造支持体として役立つ
ことを特徴とするニアアイディスプレイ。
【請求項２】
少なくとも１つの前記光吸収要素は、前記第２の光導波路の一部にわたり拡張する、ことを特徴とする請求項１に記載のニアアイディスプレイ。
【請求項３】
少なくとも１つの前記光吸収要素は、平行面の第３の対と平行な方向で前記第２の光導波路の一部にわたり拡張する、ことを特徴とする請求項２に記載のニアアイディスプレイ。
【請求項４】
少なくとも１つの前記光吸収要素はバッフルを含む、ことを特徴とする請求項２に記載のニアアイディスプレイ。
【請求項５】
少なくとも１つの前記光吸収要素は前記第１の光導波路を包含している、ことを特徴とする請求項１に記載のニアアイディスプレイ。
【請求項６】
少なくとも１つの前記光吸収要素はカバーを含む、ことを特徴とする請求項５に記載のニアアイディスプレイ。
【請求項７】
前記カバーは、空隙が前記第１の光導波路の面と前記カバーとの間にとどまるように前記第１の光導波路を包含している、ことを特徴とする請求項６に記載のニアアイディスプレイ。
【請求項８】
前記カバーは、汚物及び湿気の空隙への進入を妨げるように構成される、ことを特徴とする請求項７に記載のニアアイディスプレイ。
【請求項９】
少なくとも１つの前記光吸収要素は、前記第１の光導波路を包含するカバー、及び前記第２の光導波路の一部にわたり拡張するバッフルの各々を含む、ことを特徴とする請求項１に記載のニアアイディスプレイ。
【請求項１０】
前記インターフェースウィンドウは一端が厚くなっている、ことを特徴とする請求項１に記載のニアアイディスプレイ。
【請求項１１】
前記インターフェースウィンドウは、一端又は両端にて光吸収性コーティングでコーティングされる、ことを特徴とする請求項１に記載のニアアイディスプレイ。
【請求項１２】
前記第２の光導波路は、前記第２の光導波路のトリミング点にて反射コーティングでコーティングされる、ことを特徴とする請求項１に記載のニアアイディスプレイ。
【請求項１３】
前記第１の外結合機構は、伸長方向に対して斜めの角度で第１の光導波路を少なくとも部分的に横断する複数の内部部分反射面を含む、ことを特徴とする請求項１に記載のニアアイディスプレイ。
【請求項１４】
前記第１の外結合機構は１つ以上の回折要素を含む、ことを特徴とする請求項１に記載のニアアイディスプレイ。
【請求項１５】
前記第２の外結合機構は、前記第２の光導波路の平行面の対に対して斜めの角度で第２の光導波路を少なくとも部分的に横断する複数の部分反射面を含む、ことを特徴とする請求項１に記載のニアアイディスプレイ。
【請求項１６】
前記第２の外結合機構は１つ以上の回折要素を含む、ことを特徴とする請求項１に記載のニアアイディスプレイ。
【請求項１７】
ニアアイディスプレイであって、
伸長方向、平行面の少なくとも１つの対、及び第１の外結合機構を有する、第１の光導波路；
入力開口部、平行面の対、及び第２の外結合機構を有する、第２の光導波路；
前記第１の光導波路と前記第２の光導波路との間の光結合部であって、前記第１の光導波路内の全内反射を可能とするように構成された少なくとも１つの空隙、及びインターフェースウィンドウを含んでおり、前記インターフェースウィンドウが、前記第２の光導波路の屈折率と略同じ屈折率を持つ透明光学素子を含む、光結合部；
を含んでおり、及び
ここで、前記インターフェースウィンドウの少なくとも一部は、前記第１の光導波路を出る望ましくない光が前記第２の光導波路への進入を妨げられるように、前記第２の光導波路の入力開口部を越えて突出する
ことを特徴とするニアアイディスプレイ。
【考案の詳細な説明】
【技術分野】
【０００１】
本開示の主題は、ニアアイディスプレイ、具体的には中間インターフェースウィンドウを有するニアアイディスプレイに関連する。
【背景技術】
【０００２】
開口部の２Ｄ拡張部を持つ特定のニアアイディスプレイ及びヘッドアップディスプレイは、２つの導波路（又は「光導波路」）セクションを含む。第１のセクションは一次元で開口部を拡張し、第２のセクションは及び直交次元で拡張する。第１の例は米国特許第７，６４３，２１４号に記載されており、そこでは、各次元で拡張部に対する平行面の１つの対に基づく導波路が利用される。更なるセットの例は、ＰＣＴ／ＩＬ２０１７／０５１０２８の図２２Ａ−２２Ｂ（本明細書では図２として複製）に示され、そこでは、開口部拡張部の第１の次元の導波路が、四重の内反射を介して画像光を導く平行面の２つの互いに直交する対を有している。この図は、２つの導波路間の様々なインターフェース構成を記載する。
【０００３】
第１の導波路内の全内反射を維持するために、これら構成の幾つかは、密閉される必要のある導波路間の空隙に基づく。本明細書の残り全体にわたって、用語「空隙」は、画像視野に相当する画像照射の角度の範囲に対して導波路（１０）内のＴＩＲを維持するのに十分に低い屈折率を持つ、空気又は他の物質を指すように使用される。
【０００４】
両方の導波路は機械的に組み合わされ、且つ観察者の前に堅く保持されなければならない。更に、導波路間のインターフェースには好ましくは、導波路に沿ったほぼ均一な照射を達成するためにトリミングを実行した、十分に画定された開口部がある。
【考案の概要】
【０００５】
本開示の主題の一態様に従い、ニアアイディスプレイが提供され、該ニアアイディスプレイは：伸長方向、平行面の少なくとも１つの対、及び第１の外結合機構を有する、第１の光導波路；平行面の対を持つ入力開口部、及び第２の外結合機構を有する、第２の光導波路；第１の光導波路と第２の光導波路との間の光結合部であって、第１の光導波路内の全内反射を可能とするように構成された少なくとも１つの空隙、及びインターフェースウィンドウを含んでおり、インターフェースウィンドウが、第２の光導波路の屈折率と略同じ屈折率を持つ透明光学素子を含む、光結合部；及び少なくとも１つの光吸収要素を含み、ここで、インターフェースウィンドウの少なくとも一部は、第２の光導波路の入力開口部を越えて突出し、少なくとも１つの光吸収要素の構造支持体として役立つ。
【０００６】
本開示の主題の態様に従い、ニアアイディスプレイが提供され、該ニアアイディスプレイは：伸長方向、平行面の少なくとも１つの対、及び第１の外結合機構を有する、第１の光導波路；入力開口部、平行面の対、及び第２の外結合機構を有する、第２の光導波路；第１の光導波路と第２の光導波路との間の光結合部であって、第１の光導波路内の全内反射を可能とするように構成された少なくとも１つの空隙、及びインターフェースウィンドウを含んでおり、インターフェースウィンドウが、第２の光導波路の屈折率と略同じ屈折率を持つ透明光学素子を含む、光結合部を含み、及びここで、インターフェースウィンドウの少なくとも一部は、第１の光導波路を出る望ましくない光が第２の光導波路への進入を妨げられるように、第２の光導波路の入力開口部を越えて突出する。
【０００７】
幾つかの態様に従い、少なくとも１つの光吸収要素は、好ましくは平行面の第３の対と平行な方向で、第２の光導波路の一部にわたって拡張する。
【０００８】
幾つかの態様に従い、少なくとも１つの光吸収要素はバッフルを含む。
【０００９】
幾つかの態様に従い、少なくとも１つの光吸収要素は第１の光導波路を包含している。好ましくは、少なくとも１つの光吸収要素はカバーを含む。好ましくは、カバーは、空隙が第１の光導波路の面とカバーとの間にとどまるように、第１の光導波路を包含している。好ましくは、カバーは、汚物及び湿気の空隙への進入を妨げるように構成される。
【００１０】
幾つかの態様に従い、少なくとも１つの光吸収要素は、第１の光導波路を包含するカバー、及び第２の光導波路の一部にわたり拡張するバッフルの各々を含む。
【００１１】
幾つかの態様に従い、インターフェースウィンドウは一端が厚くなっている。好ましくは、インターフェースウィンドウは、一端又は両端にて光吸収性コーティングでコーティングされる。
【００１２】
幾つかの態様に従い、第２の光導波路は、第２の光導波路のトリミング点にて反射コーティングでコーティングされる。
【００１３】
幾つかの態様に従い、第１の外結合機構は、伸長の方向に対して斜めの角度で第１の光導波路を少なくとも部分的に横断する複数の内部部分反射面、又は１つ以上の回折要素を含む。
【００１４】
幾つかの態様に従い、第２の外結合機構は、第２の光導波路の平行面の対に対して斜めの角度で第２の光導波路を少なくとも部分的に横断する複数の部分反射面、又は１つ以上の回折要素を含む。
【図面の簡単な説明】
【００１５】
本考案を理解し、且つ本考案が実際にどのようにして実施され得るのかを確認するために、非限定的な例として添付図面を参照しながら実施形態を説明する：
【図１】先行技術の一般化された光学的開口乗算器を例示する
【図２】先行技術の光学的開口乗算器の特定の実施形態を例示する。
【図３】先行技術のニアアイディスプレイの概略図を例示する。
【図４Ａ】本考案の第１の実施形態に係るニアアイディスプレイの一般化された概略図を例示する。
【図４Ｂ】本考案の第１の実施形態に係るニアアイディスプレイの一般化された概略図を例示する。
【図４Ｃ】本考案の第２の実施形態に係るニアアイディスプレイの一般化された概略図を例示する。
【図５】本考案の第３の実施形態のニアアイディスプレイの一般化された概略図を例示する。
【図６】本考案の第４の実施形態のニアアイディスプレイの一般化された概略図を例示する。
【考案を実施するための形態】
【００１６】
以下の詳細な説明において、本考案を完全に理解するために多数の具体的な詳細が説明されている。しかし、本開示の主題がこれら特定の詳細なしに実施できることが、当業者によって理解される。他の例において、周知の方法、手順、及びコンポーネントは、本開示の主題を不明瞭にしないように詳しく記載されていない。
【００１７】
記載全体にわたって使用される用語「ニアアイディスプレイ」は、例えばヘッドアップディスプレイを含む、画像拡張を必要とするディスプレイの他の形態を含むものと理解されるべきである。
【００１８】
参照により本明細書に組み込まれるＰＣＴ／ＩＬ２０１７／０５１０２８は、通常は図１Ａ−１Ｂに示される光学的開口乗算器の様々な実施形態を記載する。光学的開口乗算器は、「Ｘ軸」に相当するものとして本明細書で恣意的に例示された伸長方向を有する第１の光導波路（１０）を含む。第１の光導波路（１０）は、長方形断面を形成する、第１の対の平行面及び第２の対の平行面（１２ａ）、（１２ｂ）、（１４ａ）、（１４ｂ）を有している。本考案の特定の特に好ましい実施形態に従い、本明細書では「ファセット」と称される、複数の内部部分反射面（４０）は、伸長方向に対して斜めの角度（即ち、平行でも垂直でもない）で第１の光導波路（１０）を少なくとも部分的に横断する。
【００１９】
光学的開口乗算器はまた、好ましくは、第１の光導波路と光学的に結合され、且つスラブ型導波路を形成する第３の対の平行面（２２ａ）、（２２ｂ）を有している、第２の光導波路（２０）を含んでおり、即ち、他の二次元の導波路（２０）は、第３の対の平行面（２２ａ）、（２２ｂ）の間の距離よりも大きな、少なくともおおよその規模である。ここでも、複数の部分反射面（４５）は、好ましくは、第３の対の平行面に対して斜めの角度で第２の光導波路を少なくとも部分的に横断する。
【００２０】
導波路と、部分反射面（４０）（４５）の配置及び構成との間の光学的結合は、第１の光導波路の平行面及び第２の光導波路の平行面（１２ａ）（１２ｂ）（１４ａ）（１４ｂ）の両方に対して斜めの結合角度で初期の伝播方向（３０）により画像が第１の光導波路（１０）に結合される時に、画像が第１の光導波路（１０）に沿って四重の内部反射（画像（ａ１）、（ａ２）、（ａ３）、及び（ａ４））により進み、第２の光導波路（２０）に結合するように画像の強度の一部が部分反射面（４０）にて反射し、その後、第２の光導波路（２０）内で二重の反射（画像（ｂ１）、（ｂ２））を通じて伝播し、ユーザー（４７）の目で確認される視認可能な画像（ｃ）として平行面の１つから外側に向けられるように画像の強度の一部が部分反射面（４５）にて反射するような、結合である。
【００２１】
図２に示されるように、ＰＣＴ／ＩＬ２０１７／０５１０２８は更に、導波路（１０）が導波路（２０）に対して傾斜される光学的開口乗算器の特定の実施形態を記載する。第１の導波路（１０）は、中間の透明ウェッジ（ｉｎｔｅｒｍｅｄｉａｔｅ  ｔｒａｎｓｐａｒｅｎｔ  ｗｅｄｇｅ）（７３０）の使用によってＩＤ導波路（２０）に対して必要とされる傾斜で取り付けられ得る。この傾斜は、導波路（１０）からの１つの画像（実線矢印）を結合し、且つ導波路（１０）からの他の画像（破線矢印）を結合しないように選択される。導波路（２０）に対する導波路（１０）の傾斜は、それらの間で伝播する導波路及び画像の必要な角度に従って選択することができ、第２の導波路（２０）の傾斜した結合面に対して傾斜を減らすために透明ウェッジ結合プリズム（７３０）を利用し得る。代替的に、第２の導波路（２０）に対する第１の導波路（１０）の必要な傾斜角度は、中間結合プリズムが必要とされないように、第２の導波路の結合表面の角度と一致する。
【００２２】
しかしながら、先行技術構成では、場合によっては、先行技術に係るニアアイディスプレイの一般化された概略図を例示する図３Ａ−３Ｂに示されるように、光は反射されて導光路（１０）内に戻され、画像劣化を引き起こし得る。図３Ａでは、光は、第１の導波路（１０）、例えば２Ｄ導波路から出て、空隙を通り、プリズム（１５）を通り、そして第２の導波路（２０）、例えば１Ｄ導波路へと結合される。導波路（２０）のトリミング点（２１）は、必要のない光をトリミングする開口部としての役割を果たす（典型的には、導波路（２０）の角に位置する）。すなわち、点から点（２１）の右側へとぶつかる光線は、導光路（２０）の外へと反射される。
【００２３】
図３Ａに例示されるように、平行な光線（２２ａ）と（２２ｂ）と（２２ｃ）は、無限にコリメートされた画像の伝達されたＦＯＶにおける単一の点を表す。光線（２２ａ）は、トリミング点（２１）の近くの導波路（２０）に進入し、ＴＩＲを介して導波路（２０）を通って伝播する。光線（２２ｂ）は、導波路（２０）の面（２２ｂ）から反射し、点（２１）の左側の点へと戻り、ＴＩＲを介して導波路（２０）を通って伝播し続ける。しかしながら、光線（２２ｃ）もまた、面（２２ｂ）から反射され、点（２１）の右側の点にぶつかり、したがってプリズム（１５）を通って導波路（２０）を出る。
【００２４】
図３Ｂは、ニアアイディスプレイの代替的な先行技術構成を例示し、ここで導波路の角度のある設計は、導波路（１０）と（２０）との間に「ウェッジ」プリズムを指示しない。この場合、光線（２２ｃ）は浅い角度で空隙面に当たり、結果的に望ましくない光として、反射して導波路（２０）へと戻り得る。この望ましくない光は、画像劣化を引き起こし得る。
【００２５】
図３Ａ−３Ｂは、２対の平行面を有する２Ｄ導波路として導波路（１０）を示すが、導波路（２０）に進入する望ましくない光の問題は、導波路（１０）が１対の平行面を有する１Ｄ導波路、例えば引用により本明細書に組み込まれる米国特許第７，６４３，２１４号（特に、例えば図１０−１５、１７、１８、及び２０を参照）に記載される導波路等である場合に、等しく当てはまり得ることに留意すべきである。
【００２６】
ここで本考案に目を向けると、先行技術のニアアイディスプレイを改良したニアアイディスプレイが提供される。図４Ａ−４Ｂは、本開示の主題の特定の実施形態に係るニアアイディスプレイの一般化された概略図を例示する。本考案の一実施形態によれば、ニアアイディスプレイは、第１の光導波路（１０）、第２の光導波路（２０）、及び空隙（２９）と中間体インターフェースウィンドウ（３０）から成る導波路（１０）と導波路（２０）との間の光結合部を含む。
【００２７】
先行技術でのように、導波路（１０）は、少なくとも１対の平行面（１２ａ）と（１２ｂ）、及び外結合機構（４０）に、伸長方向を有する。幾つかの実施形態において、導波路（１０）は、２対の平行面（１２ａ）、（１２ｂ）、（１４ａ）、（１４ｂ）を有し得る。幾つかの実施形態において、図１Ｂに示されるように、外結合機構（４０）は、例えば、伸長方向に対して斜角で少なくとも部分的に導波路（１０）を横断する、複数の内部部分反射面であり得る。他の実施形態では、外結合機構は、例えば１つ以上の回折要素であり得る。幾つかの実施形態において、出力表面とは別の導波路（１０）の面は、反射コーティングでコーティングされてもよい。
【００２８】
さらに先行技術において、導波路（２０）は、１対の平行面（２２ａ）と（２２ｂ）、及び１対の平行面に対して斜角で少なくとも部分的に導波路（２０）を横断する複数の部分反射面又は１つ以上の回折要素などの外結合機構（４５）とを有する。好ましくは、導波路（１０）は導波路（２０）よりもわずかに幅広い。
【００２９】
上記に詳述されるように、導波路（１０）と（２０）との間の光結合部は、空隙（２９）とインターフェースウィンドウ（３０）を含む。インターフェースウィンドウは、より好ましくは、導波路（２０）の屈折率と実質的に同じ屈折率を有する透明な光学素子から作られる。「実質的に同じ」屈折率によって、インターフェース（３０）と導波路（２０）との間の境界を、実質的に無傷で、すなわち再配向なしに、光線が通過可能であるべきであることが意味される。
【００３０】
インターフェースウィンドウ（３０）は、好ましくは第２の導波路（２０）の入力開口部全体に重なり、及び特定のより好ましい場合では、図４Ａ−４Ｂに示されるようにその開口部を超えて突出し、それによって光線（２２ｃ）が導波路（２０）に進入せずにニアアイディスプレイの外に反射することを可能にする。加えて、図５−６に関連して以下に詳述されるように、特定の好ましい実施形態では、導光路（２０）の入力開口部を越えて突出するインターフェースウィンドウの部分は、付加的に、ニアアイディスプレイの付加的なコンポーネントのための構造支持体としての役割を果たすことができる。
【００３１】
インターフェースウィンドウ（３０）の最小の厚みは、伝達された画像視野全体における空隙のウィンドウ側で生成されるＴＩＲが、導波路（２０）に戻ることができず、かつウィンドウ（３０）の側を通って出ないように設定されるべきである。最大では、ウィンドウの厚みは、導波路の主要平行面の間で測定されるように、好ましくは導波路（２０）自体の厚み未満である。小さな空隙は、好ましくは、第１の導波路（１０）内に伝播する光のためのＴＩＲ条件を維持する。空隙は、その端部表面を介して第１の導波路（１０）を取り付けることによって、つまり任意の適切な支持構造と接着剤により、例示される図の「ページへ」の次元で、有利に維持されてもよい。
【００３２】
本考案の別の実施形態によれば、インターフェースウィンドウ（３０）は、図４Ｂに示されるように、一端がより厚くなっていてもよい。例えば、これは、ニアアイディスプレイの設計が、導波路（１０）と導波路（２０）との間の小さな角度を要求する場合に必要であり得る。
【００３３】
図４Ｃは、第１の１Ｄ導波路（１０００）、第２の光導波路（２０）、及び空隙（２９）と中間体インターフェースウィンドウ（３０）から成る導波路（１０００）と導波路（２０）との間の光結合部を含むニアアイディスプレイの別の実施形態を例示する。本実施形態において、導波路（１０００）は、米国特許第７，６４３，２１４号（特に、図１０−１５、１７、１８及び２０に示される実施形態）に開示された導波路などの、ＴＩＲを介して伝播する光線のための１対の平行面（１２ａ）と（１２ｂ）を有する１Ｄ導波路である。導波路（１０）と同様に、導波路（１０００）は、伸長方向及び外結合機構を有し、これは、例えば、伸長方向に対して斜角で少なくとも部分的に導波路（１０００）を横断する複数の内部部分反射面、又は１つ以上の回折要素であり得る。
【００３４】
好ましくは、この場合、導波路（１０００）の端部（すなわち、１対の平行面（２１）と（１２ｂ）とに垂直な面）は、外部光が導波路に進入するのを防ぐために、光吸収性コーティング（１００２）、又は少なくとも外向き透過性コーティングでコーティングされる。好ましくは、インターフェースウィンドウもまた、その端部がコーティング（１００２）によってコーティングされる。
【００３５】
本考案の別の実施形態は図５に示され、ここでインターフェースウィンドウ（３０）は、ニアアイディスプレイに１つ以上の付加的なコンポーネントを固定するための基礎としても使用される。本実施形態において、ニアアイディスプレイは、カバー（３５）及び／又はバッフル（３６）などの少なくとも１つの光吸収要素を含み、これはインターフェースウィンドウ（３０）に固定され、さらに以下に詳述されるように、先行技術のニアアイディスプレイに対する追加の利点を提供する。図５が、カバー（３５）とバッフル（３６）の両方を有するニアアイディスプレイを示す一方で、ニアアイディスプレイは実際には、カバー（３５）のみ、バッフル（３６）のみ、又はカバー（３５）とバッフル（３６）の両方を含み得る。
【００３６】
バッフル（３６）は、散乱光が外向きに放射されるのを防ぎ、かつ周囲光が内部に結合されるのを防ぐように構成される。バッフル（３６）は、好ましくは、導波路（２０）の一部にわたって、及び最も好ましくは平行面（２２ａ）と（２２ｂ）に平行な方向に拡張する。
【００３７】
カバー（３５）は導波路（１０）を包含しているが、好ましくは、ＴＩＲ条件を維持するためにカバーと導波路（１０）の面との間の空隙を残しておく。このカバーは、導波路（１０）を通って導波路（２０）へと周囲光が通過し、それによって画像劣化を引き起こすのを防ぐ。好ましくは、カバーは、画像伝達に干渉するであろう空隙への汚物と湿度の進入をさらに防ぐように構成される。
【００３８】
上記に詳述されるように、本考案のニアアイディスプレイは、幾つかの場合には、カバー（３５）とバッフル（３６）の両方を含むことがで、その場合、両要素は、本記載のためにまとめて光吸収要素と呼ばれる。
【００３９】
インターフェースウィンドウ（３０）の端部（３４ａ）と（３４ｂ）は、光透過率又は反射率（ＴＩＲ）のためには用いられず、したがって、カバー（３５）及び／又はバッフル（３６）等の光吸収要素を固定するために用いることができる。
【００４０】
好ましくは、ウィンドウ（３０）は、画像透過率をさらに改善するために、その端面が光吸収性コーティング（３７）でコーティングされている。
【００４１】
幾つかの実施形態において、トリミング点（２１）の光学的な質を改善するために、ＰＣＴ公報ＷＯ２０１８／０８７７５６号に記載されるように、反射コーティング（３９）が、トリミング点（２１）において導波路（２０）の面に適用され得る。
【００４２】
本考案の別の実施形態は図６に示され、ここでインターフェースウィンドウは、導波路（２０）及び／又は導波管（１０）に対して傾いておらず、及び、カバー（３５）及び／又はバッフル（３６）等の、追加のコンポーネントをニアアイディスプレイに固定するための基礎として使用される。
【００４３】
本考案が、本明細書に含まれる記載に明記された、又は図面に例示された詳細に、その用途を限定しないことを理解されたい。本考案は、他の実施形態で、及び様々な方法で実施又は実行することができる。したがって、本明細書で使用される表現や用語は本記載のためだけのものであり、限定的であるとみなされるべきではないことが理解されよう。そのため、当業者は、本開示の根拠となる概念が、本開示の主題のいくつかの目的を実行するための他の構造、方法、及びシステムを設計するための根拠としても容易に利用され得ることを理解するだろう。
【図１】
0003226277.tif 000003
【図２】
0003226277.tif 000004
【図３】
0003226277.tif 000005
【図４Ａ】
0003226277.tif 000006
【図４Ｂ】
0003226277.tif 000007
【図４Ｃ】
0003226277.tif 000008
【図５】
0003226277.tif 000009
【図６】
0003226277.tif 000010
【手続補正書】
【提出日】令和2年2月26日(2020.2.26)
【手続補正１】
【補正対象書類名】実用新案登録請求の範囲
【補正対象項目名】全文
【補正方法】変更
【補正の内容】
【実用新案登録請求の範囲】
【請求項１】
ニアアイディスプレイであって、
伸長方向、平行面の少なくとも１つの対、及び第１の外結合機構を有する、第１の光導波路；
平行面の対を持つ入力開口部、及び第２の外結合機構を有する、第２の光導波路；
前記第１の光導波路と前記第２の光導波路との間の光結合部であって、前記第１の光導波路に隣接する少なくとも１つの空隙、及びインターフェースウィンドウを含んでおり、前記インターフェースウィンドウが、前記第２の光導波路の屈折率と略同じ屈折率を持つ透明光学素子を含む、光結合部；及び
少なくとも１つの光吸収要素；
を含んでおり、
ここで、前記インターフェースウィンドウの少なくとも一部は、前記第２の光導波路の入力開口部を越えて突出し、少なくとも１つの前記光吸収要素の構造支持体として役立つ
ことを特徴とするニアアイディスプレイ。
【請求項２】
少なくとも１つの前記光吸収要素は、前記第２の光導波路の一部にわたり拡張する、ことを特徴とする請求項１に記載のニアアイディスプレイ。
【請求項３】
少なくとも１つの前記光吸収要素は、平行面の第３の対と平行な方向で前記第２の光導波路の一部にわたり拡張する、ことを特徴とする請求項２に記載のニアアイディスプレイ。
【請求項４】
少なくとも１つの前記光吸収要素はバッフルを含む、ことを特徴とする請求項２に記載のニアアイディスプレイ。
【請求項５】
少なくとも１つの前記光吸収要素は前記第１の光導波路を包含している、ことを特徴とする請求項１に記載のニアアイディスプレイ。
【請求項６】
少なくとも１つの前記光吸収要素はカバーを含む、ことを特徴とする請求項５に記載のニアアイディスプレイ。
【請求項７】
前記カバーは、空隙が前記第１の光導波路の面と前記カバーとの間にとどまるように前記第１の光導波路を包含している、ことを特徴とする請求項６に記載のニアアイディスプレイ。
【請求項８】
前記カバーは、汚物及び湿気の空隙への進入を妨げるように構成される、ことを特徴とする請求項７に記載のニアアイディスプレイ。
【請求項９】
少なくとも１つの前記光吸収要素は、前記第１の光導波路を包含するカバー、及び前記第２の光導波路の一部にわたり拡張するバッフルの各々を含む、ことを特徴とする請求項１に記載のニアアイディスプレイ。
【請求項１０】
前記インターフェースウィンドウは一端が厚くなっている、ことを特徴とする請求項１に記載のニアアイディスプレイ。
【請求項１１】
前記インターフェースウィンドウは、一端又は両端にて光吸収性コーティングでコーティングされる、ことを特徴とする請求項１に記載のニアアイディスプレイ。
【請求項１２】
前記第２の光導波路は、前記第２の光導波路のトリミング点にて反射コーティングでコーティングされる、ことを特徴とする請求項１に記載のニアアイディスプレイ。
【請求項１３】
前記第１の外結合機構は、伸長方向に対して斜めの角度で第１の光導波路を少なくとも部分的に横断する複数の内部部分反射面を含む、ことを特徴とする請求項１に記載のニアアイディスプレイ。
【請求項１４】
前記第１の外結合機構は１つ以上の回折要素を含む、ことを特徴とする請求項１に記載のニアアイディスプレイ。
【請求項１５】
前記第２の外結合機構は、前記第２の光導波路の平行面の対に対して斜めの角度で第２の光導波路を少なくとも部分的に横断する複数の部分反射面を含む、ことを特徴とする請求項１に記載のニアアイディスプレイ。
【請求項１６】
前記第２の外結合機構は１つ以上の回折要素を含む、ことを特徴とする請求項１に記載のニアアイディスプレイ。
【請求項１７】
ニアアイディスプレイであって、
伸長方向、平行面の少なくとも１つの対、及び第１の外結合機構を有する、第１の光導波路；
入力開口部、平行面の対、及び第２の外結合機構を有する、第２の光導波路；
前記第１の光導波路と前記第２の光導波路との間の光結合部であって、前記第１の光導波路に隣接する少なくとも１つの空隙、及びインターフェースウィンドウを含んでおり、前記インターフェースウィンドウが、前記第２の光導波路の屈折率と略同じ屈折率を持つ透明光学素子を含む、光結合部；
を含んでおり、及び
ここで、前記インターフェースウィンドウの少なくとも一部は、前記第１の光導波路を出る望ましくない光が前記第２の光導波路への進入を妨げられるように、前記第２の光導波路の入力開口部を越えて突出する
ことを特徴とするニアアイディスプレイ。